【手続補正書】
【提出日】平成19年9月12日(2007.9.12)
【手続補正１】
【補正対象書類名】明細書
【補正対象項目名】特許請求の範囲
【補正方法】変更
【補正の内容】
【特許請求の範囲】
【請求項１】  加入者局においてリバースリンクの伝送レートを判断するための方法であって：
活動状態の組の前記加入者局の中の各基地局から、リバースリンクのローディングを示すビジートーン信号を受信する段階と；
前記ビジートーン信号の１つを選択する段階と；
前記ビジートーン信号の前記選択した１つにしたがって前記リバースリンク伝送レートを判断する段階とを含む方法。
【請求項２】  前記ビジートーン信号が整数値によって示され、示されたローディングが前記整数値の値と共に増加するものであり、前記ビジートーン信号の1つを選択する前記段階が最大値をもつビジートーン信号を選択することを含む請求項１記載の方法。
【請求項３】  前記ビジートーンが２ビットの数字として送られ、
（０，０）がほとんどロードされていない基地局を示し；
（０，１）が安定した基地局を示し；
（１，０）が重くロードされた基地局を示し；
（１，１）が基地局のオーバーロード状態を示している請求項２記載の方法。
【請求項４】  加入者局においてリバースリンクの伝送レートを判断する方法であって：
前記加入者局によって送られることになる待ち行列に入れられたデータ量にしたがって初期レートを選択する段階と；
少なくとも１つの受信したビジートーンの値にしたがって前記初期レートを調整する段階とを含む方法。
【請求項５】  加入者局において電力の空き高量を判断する段階と；
前記電力の空き高にしたがって前記初期レートを調整して、第２の調整されたレートを供給する段階とをさらに含み；
前記初期レートを調整する前記段階が前記第２の調整されたレートで実行される請求項４記載の方法。
【請求項６】  候補の基地局と活動状態の組の基地局とからの信号強度にしたがうエネルギ差の計量を判断する段階と；
前記エネルギ差の計量にしたがって前記初期レートを調整して、第２の調整されたレートを供給する段階とをさらに含み；
前記初期レートを調整する前記段階が前記第２の調整されたレートで実行される請求項４記載の方法。
【請求項７】  候補の基地局と活動状態の組の基地局とからの信号強度にしたがうエネルギ差の計量を判断する段階と；
エネルギ差の計量にしたがって前記第２の調整されたレートを調整して、第３の調整されたレートを供給する段階とをさらに含み；
前記初期レートを調整する前記段階が、前記第３の調整されたレートにしたがって実行される請求項５記載の方法。
【請求項８】  前記加入者局によって送られることになる待ち行列へ入れられたデータ量にしたがって初期レートを選択する前記段階が：
送られることになる待ち行列へ入れられたデータ量を、所定の最大データレートで送られるパケット内に保持することができるか否かを判断する段階と；
送られることになる待ち行列へ入れられたデータ量が、所定の最大データレートで送られるパケット内に保持することができる情報量を越えたときに、前記初期レートを所定の最大レートに設定する段階と；
送られることになる待ち行列へ入れられたデータ量が、所定の最大データレートで送られるパケット内に保持することができる情報量よりも少ないときに、前記初期レートを前記所定の最大レートよりも低い第２のレートに設定する段階と；
前記初期レートを、初期レートの現在の値よりも低いレートか、または先のフレームが送られたレートの２倍のレートに設定する段階とを含む請求項４記載の方法。
【請求項９】  前記電力の空き高にしたがって前記初期レートを調整して、第２の調整されたレートを供給する前記段階が：
前記電力の空き高にしたがって前記加入者局によって確実な伝送ができる最大レートを選択する段階と；
前記初期レートよりも低いレートと、前記加入者局による確実な伝送ができる前記最大レートとを、前記第２の調整されたレートとして選択する段階とを含む請求項５記載の方法。
【請求項１０】  リバースリンク伝送のデータレートを選択する方法であって：
伝送バッファ内のデータ量にしたがって初期レートを選択する段階と；
電力の空き高値にしたがって前記初期レートを変更して、第１の調整されたレートを供給する段階と；
候補の組の保護値にしたがって前記第１の調整されたレートを変更して、第２の調整されたレートを供給する段階と；
受信したビジートーン値にしたがって前記第２の調整されたレートを変更して、前記選択されたリバースリンクの伝送レートを供給する段階とを含む方法。
【請求項１１】  初期レートを選択する前記段階が：
送られることになる待ち行列へ入れられたデータ量を、所定の最大データレートで送られるパケット内に保持することができるか否かを判断する段階と；
送られることになる待ち行列へ入れられたデータ量が、所定の最大データレートで送られるパケット内に保持することができる情報量を越えたときに、前記初期レートを所定の最大レートに設定する段階と；
送られることになる待ち行列へ入れられたデータ量が、所定の最大データレートで送られるパケット内に保持することができる情報量よりも少ないときに、前記初期レートを前記所定の最大レートよりも低い第２のレートに設定する段階と；
前記初期レートを、初期レートの現在の値よりも低いレートか、または先のフレームが送られたレートの２倍のレートに設定する段階とを含む請求項１０記載の方法。
【請求項１２】  初期レートを選択する前記段階が：
前記バッファ内の前記データ量が所定の量を超えたか否かを判断する段階と；
前記バッファ内の前記データ量が所定の量を超えたときにフラグを設定する段階とを含む請求項１０記載の方法。
【請求項１３】  初期レートを選択する前記段階が：
前記バッファ内の前記データ量が所定の量を超えたか否かを判断する段階と；
前記バッファ内の前記データ量が所定の量を超えたときにフラグを設定する段階とを含む請求項１０記載の方法。
【請求項１４】  電力の空き高値にしたがって前記初期レートを変更して、第１の調整されたレートを供給する前記段階が：
前記加入者局によって送ることができる最大電力を判断することと；
前記加入者局によって送ることができる前記最大電力以下で送ることができる最大レートを選択することとを含む請求項１０記載の方法。
【請求項１５】  最大レートを選択する前記段階が：
前記加入者局がソフトなハンドオフ中であるか否かを判断する段階と；
最大レートを選択する前記段階が、前記加入者局がソフトなハンドオフ中であるか否かを判断することについての前記判断にしたがって実行される請求項１４記載の方法。
【請求項１６】  最大レートを選択する前記段階が：
前記加入者局と活動状態の組の基地局との間の距離を判断する段階を含んでおり；
最大レートを選択する前記段階が、前記加入者局と活動状態の組の基地局との間の距離を判断することにしたがって実行される請求項１４記載の方法。
【請求項１７】  最大レートを選択する前記段階が：
前記加入者局の速度を判断する段階を含み；
最大レートを選択する前記段階が、前記加入者局の速度にしたがって実行される請求項１４記載の方法。
【請求項１８】  前記候補の組の保護値にしたがって前記第１の調整されたレートを変更して、第２の調整されたレートを供給する前記段階が：
少なくとも１つの候補の組の基地局の信号エネルギを測定する段階と；
少なくとも１つの活動状態の組の基地局の信号エネルギーを測定する段階と；
少なくとも１つの活動状態の組の基地局の前記信号エネルギと少なくとも１つの候補の組の基地局の前記信号エネルギとにしたがって、前記候補の組の保護値を計算する段階とを含む請求項１４記載の方法。
【請求項１９】  少なくとも１つの活動状態の組の基地局の前記信号エネルギと少なくとも１つの候補の組の基地局の前記信号エネルギとにしたがって、前記候補の組の保護値を計算する前記段階が：
少なくとも１つの活動状態の組の基地局の前記信号エネルギのエネルギを加算して、加算された活動状態の組のエネルギを供給する段階と；
少なくとも１つの候補の組の基地局の前記信号エネルギのエネルギを加算して、加算された候補の組のエネルギを供給する段階とを含み；
前記候補の組の保護値を計算する前記段階が、前記加算された活動状態の組のエネルギと前記加算された活動状態の組のエネルギとの間の差にしたがって実行される請求項１８記載の方法。
【請求項２０】  少なくとも１つの活動状態の組の基地局の前記信号エネルギと少なくとも１つの候補の組の基地局の前記信号エネルギとにしたがって、前記候補の組の保護値を計算する前記段階が：
少なくとも１つの活動状態の組の基地局の前記信号エネルギの最低エネルギの活動状態の組の基地局を選択する段階と；
少なくとも１つの候補の組の基地局の前記信号エネルギの最大エネルギの候補の組の基地局を選択する段階とを含み；
前記候補の組の保護値を計算する前記段階が、前記最低エネルギの活動状態の組の基地局の信号エネルギと前記最大エネルギの候補の組の基地局の信号エネルギとの間の差にしたがって実行される請求項１８記載の方法。
【請求項２１】  少なくとも１つの活動状態の組の基地局の前記信号エネルギと少なくとも１つの候補の組の基地局の前記信号エネルギとにしたがって、前記候補の組の保護値を計算する前記段階が：
少なくとも１つの活動状態の組の基地局の前記信号エネルギの最低エネルギの活動状態の組の基地局を選択する段階と；
少なくとも１つの候補の組の基地局の前記信号エネルギのエネルギを加算して、加算された候補の組のエネルギを供給する段階とを含み；
前記候補の組の保護値を計算する前記段階が、前記最低エネルギの活動状態の組の基地局の信号エネルギと前記加算された活動状態の組のエネルギとの間の差にしたがって実行される請求項１８記載の方法。
【請求項２２】  少なくとも１つの活動状態の組の基地局の前記信号エネルギと少なくとも１つの候補の組の基地局の前記信号エネルギとにしたがって、前記候補の組の保護値を計算する前記段階が：
少なくとも１つの活動状態の組の基地局の前記信号エネルギの最大エネルギの活動状態の組の基地局を選択する段階と；
少なくとも１つの候補の組の基地局の前記信号エネルギの最大エネルギの候補の組の基地局を選択する段階とを含み；
前記候補の組の保護値を計算する前記段階が、前記最大エネルギの活動状態の組の基地局の信号エネルギと最大エネルギの候補の組の基地局の信号エネルギとの間の差にしたがって実行される請求項１８記載の方法。
【請求項２３】  受信したビジートーン値にしたがって前記第２の調整されたレートを変更して、前記選択されたリバースリンクの伝送レートを供給する前記段階が、確率論的プロセスにしたがって実行される請求項１０記載の方法。
【請求項２４】  確率論的プロセスが、所定の先行する間隔における平均伝送レート数にしたがって判断される請求項２３記載の方法。
【請求項２５】  確率論的プロセスが、バッファ容量のフラグにしたがって判断される請求項２３記載の方法。
【請求項２６】  確率論的プロセスが、バッファ容量のフラグにしたがって判断される請求項２５記載の方法。
【請求項２７】  伝送レート（ｐ）を増加する確率が次の式：
ｐ＝ｍｉｎ{１，〈［１＋（ＦＢｕｆｆｅｒ／２）］／Ｎｒａｔｅｓ〉ｌｏｇ２〈Ｒｍａｘ／Ｒａｖｅｒａｇｅ〉}、
によって与えられ、なおＲ ａｖｅｒａｇｅが所定数の先行する伝送における平均データレートであり、ＦＢｕｆｆｅｒはバッファが一杯のフラグであり、ここで例示的な実施形態では０か、またはバッファが一杯の状態を示す１の値を仮定し、Ｒｍａｘは既に記載したように、加入者局の最大伝送レートであり、ＮＲａｔｅｓは加入者局に有効なレート数である請求項２６記載の方法。
【請求項２８】  高いレートのディジタルデータを伝送するための加入者局であって：
活動状態の組の前記加入者局において、各基地局からのリバースリンクのローディングを示すビジートーンの信号を受信するための受信機と；
前記ビジートーン信号の１つを選択し、前記ビジートーンの信号の前記選択された１つにしたがって前記リバースリンクの伝送レートを判断するための制御プロセッサとを含む加入者局。
【請求項２９】  前記ビジートーン信号が整数値によって示され、ローディングが前記整数値の値で増加を示されていて、前記ビジートーン信号の1つを選択する前記段階が最大値をもつビジートーン信号を選択することを含む請求項２８記載の方法。
【請求項３０】  前記ビジートーンが２ビットの数字として送られ、
（０，０）がほとんどロードされていない基地局を示し；
（０，１）が安定した基地局を示し；
（１，０）が重くロードされた基地局を示し；
（１，１）が基地局のオーバーロード状態を示している請求項２９記載の方法。
【請求項３１】  高速でディジタルデータを伝送するための加入者局であって：
前記加入者局によって伝送するためのデータを記憶するバッファと；
活動状態の組の前記加入者局において、各基地局からのリバースリンクのローディングを示すビジートーン信号を受信する受信機と；
前記ビジートーン信号の１つを選択し、前記ビジートーン信号の中の前記選択した１つと前記バッファ内のデータ量とにしたがって前記リバースリンクの伝送レートを判断するための制御プロセッサとを含む加入者局。
【請求項３２】  前記制御プロセッサがさらに、加入者局内の電力の空き高量と、前記電力にしたがう前記伝送レートとを判断することをさらに含む請求項３１記載の加入者局。
【請求項３３】  前記制御プロセッサがさらに、候補の基地局および活動状態の組の基地局からの信号強度にしたがってエネルギ差の計量を判断し、前記エネルギ差の計量にしたがって前記伝送レートを判断して、第２の調整されたレートを供給する請求項３１記載の加入者局。
【請求項３４】  前記制御プロセッサがさらに、候補の基地局および活動状態の組の基地局からの信号強度にしたがってエネルギ差の計量を判断し、前記エネルギ差の計量にしたがって前記伝送レートを判断して、第２の調整されたレートを供給する請求項３２記載の加入者局。
【請求項３５】  前記制御プロセッサが、送られることになる待ち行列に入れられたデータ量を所定の最大データレートで送られるパケット内に保持できるか否かを判断し、送られることになる待ち行列に入れられたデータ量が、所定の最大データレートで送られるパケット内に保持できる情報量を越えたときは、所定の最大レートに対して前記伝送レートを選択し、送られることになる待ち行列に入れられたデータ量が、所定の最大データレートで送られるパケット内に保持できる情報量よりも少ないときは、前記所定の最大レートよりも少ない第２のレートに前記初期レートを設定する請求項３１記載の加入者局。
【請求項３６】  前記制御プロセッサが、前記電力の空き高にしたがって前記加入者局による確実な伝送を可能にする最大レートを選択し、初期レートよりも低いレートと前記加入者局による確実な伝送を可能にする前記最大レートとを前記第２の調整されたレートとして選択する請求項３２記載の加入者局。
【請求項３７】  １組の可能なレートの中の選択されたレートでデータを送る加入者局であって：
前記加入者局によって送られるデータ量を記憶するバッファと；
ビジートーン値を示すビジートーン信号を受信する受信機のサブシステムと；
伝送バッファ内のデータ量にしたがって初期レートを選択し、電力の空き高値にしたがって前記初期レートを変更して第１の調整されたレートを供給し、候補の組の保護値にしたがって前記第１の調整されたレートを変更して第２の調整されたレートを供給し、受信したビジートーン値にしたがって前記第２の調整されたレートを変更して前記選択されたリバースリンクの伝送レートを供給するための制御プロセッサと；
前記選択されたデータレートでデータを送る送信機とを含む加入者局。
【請求項３８】  前記制御プロセッサが、送られることになる待ち行列に入れられたデータ量を所定の最大データレートで送られるパケット内に保持できるか否かを判断し、送られることになる待ち行列に入れられたデータ量が、所定の最大データレートで送られるパケット内に保持できる情報量を越えたときは、所定の最大レートに前記初期レートを設定し、送られることになる待ち行列に入れられたデータ量が、所定の最大データレートで送られるパケット内に保持できる情報量よりも少ないときは、前記所定の最大レートよりも少ない第２のレートに前記初期レートを設定し、初期レートの現在の値よりも少ないレートおよび先行するフレームが送られたレートの２倍のレートに前記初期レートを設定する請求項３７記載の加入者局。
【請求項３９】  前記制御プロセッサが、前記バッファ内の前記データ量が所定の量を超えるか否かを判断し、前記バッファ内の前記データ量が所定の量を超えたときにフラグを設定する請求項３７記載の方法。
【請求項４０】  前記制御プロセッサが、前記バッファ内の前記データ量が所定の量を超えたか否かを判断し、前記バッファ内の前記データ量が所定の量を超えたときにフラグを設定する請求項３８記載の方法。
【請求項４１】  前記制御プロセッサが、前記加入者局によって送ることができる最大電力を判断し、前記加入者局によって送ることができる前記最大電力以下で送ることができる最大レートを選択する請求項３７記載の加入者局。
【請求項４２】  前記制御プロセッサが、前記加入者局がソフトなハンドオフ中であるか否かを判断し、前記加入者局の最大レートの選択が、前記加入者局がソフトなハンドオフ中であるか否かについての前記判断にしたがって行われる請求項４１記載の加入者局。
【請求項４３】  前記制御プロセッサが、前記加入者局と活動状態の組の基地局との間の距離を判断し、最大レートの選択が、前記加入者局と活動状態の組の基地局との間の距離を判断することにしたがって実行される請求項４１記載の方法。
【請求項４４】  前記制御プロセッサが前記加入者局の速度を判断し、前記加入者局の速度にしたがって最大値を選択する請求項４１記載の加入者局。
【請求項４５】  前記制御プロセッサが、少なくとも１つの候補の組の基地局の信号エネルギを推定し、少なくとも１つの活動状態の組の基地局の信号エネルギを推定し、少なくとも１つの活動状態の組の基地局の信号エネルギと少なくとも１つの候補の組の基地局の信号エネルギとにしたがって前記候補の組の保護値を計算する請求項４１記載の加入者局。
【請求項４６】  前記制御プロセッサが、少なくとも１つの活動状態の組の基地局の前記信号エネルギのエネルギを加算して、加算された活動状態の組のエネルギを供給し、少なくとも１つの候補の組の基地局の前記信号エネルギのエネルギを加算して、加算された候補の組のエネルギを供給し、前記候補の組の保護値の計算が、前記加算された活動状態の組のエネルギと前記加算された活動状態の組のエネルギとの間の差にしたがって実行される請求項４５記載の加入者局。
【請求項４７】  前記制御プロセッサが、少なくとも１つの活動状態の組の基地局の前記信号エネルギの最小エネルギの活動状態の組の基地局を選択し、少なくとも１つの候補の組の基地局の前記信号エネルギの最大エネルギの候補の組の基地局を選択し、前記候補の組の保護値の計算が、前記最低エネルギの活動状態の組の基地局の信号エネルギと、前記最大エネルギの候補の組の基地局の信号エネルギとの間の差にしたがって実行される請求項４５記載の加入者局。
【請求項４８】  前記制御プロセッサが、少なくとも１つの活動状態の組の基地局の前記信号エネルギの最低エネルギの活動状態の組の基地局を選択し、少なくとも１つの候補の組の基地局の前記信号エネルギのエネルギを加算して、加算された候補の組のエネルギを供給し、前記候補の組の保護値の計算が、前記最低ネルギの活動状態の組の基地局の信号エネルギと前記加算された活動状態の組のエネルギとの間の差にしたがって実行される請求項４５記載の加入者局。
【請求項４９】  前記制御プロセッサが、少なくとも１つの活動状態の組の基地局の前記信号エネルギの最大エネルギの活動状態の組の基地局を選択し、少なくとも１つの候補の組の基地局の前記信号エネルギの最大エネルギの候補の組の基地局を選択し、前記候補の組の保護値の計算が、前記最大エネルギの活動状態の組の基地局の信号エネルギと、前記最大エネルギの候補の組の基地局の信号エネルギとの間の差にしたがって実行される請求項４５記載の加入者局。
【請求項５０】  制御プロセッサが、確率論的プロセスにしたがって前記伝送レートを選択する請求項３７記載の加入者局。
【請求項５１】  確率論的プロセスが、所定の先行する間隔上で平均伝送レート数にしたがって判断される請求項５０記載の加入者局。
【請求項５２】  確率論的プロセスが、バッファ容量のフラグにしたがって判断される請求項５０記載の加入者局。
【請求項５３】  確率論的プロセスが、バッファ容量のフラグにしたがって判断される請求項５２記載の加入者局。
【請求項５４】  伝送レート（ｐ）を増加する確率が次の式：
ｐ＝ｍｉｎ{１，〈［１＋（ＦＢｕｆｆｅｒ／２）］／Ｎｒａｔｅｓ〉ｌｏｇ２〈Ｒｍａｘ／Ｒａｖｅｒａｇｅ〉}、
によって与えられ、なおＲａｖｅｒａｇｅが所定数の先行する伝送における平均データレートであり、ＦＢｕｆｆｅｒはバッファが一杯のフラグであり、例示的な実施形態では０か、またはバッファが一杯の状態を示す１の値を仮定し、Ｒｍａｘは既に記載したように、加入者局の最大伝送レートであり、ＮＲａｔｅｓは加入者局に有効なレート数である請求項５３記載の加入者局。
【請求項５５】  リバースリンクのローディングを測定する手段と；
前記リバースリンクのローディングを示すビジートーンの信号を送る手段とを含む基地局。
【請求項５６】  前記ビジートーン信号が、２ビットの数値として送られ、
（０，０）がほとんどロードされていない基地局を示し；
（０，１）が安定した基地局を示し；
（１，０）が重くロードされた基地局を示し；
（１，１）が基地局のオーバーロード状態を示している請求項５５記載の基地局。
【請求項５７】  前記基地局がＣＤＭＡ基地局である請求項５６記載の基地局。
【請求項５８】  ビジートーン信号がＣＤＭＡ信号へ時分割多重化される請求項５６記載の基地局。
【請求項５９】  前記基地局がさらに、最大許容リバースリンクの伝送レートを示す信号を送る請求項５６記載の基地局。
【手続補正２】
【補正対象書類名】明細書
【補正対象項目名】０００５
【補正方法】変更
【補正の内容】
【０００５】
加入者局は通信中に少なくとも1つの基地局と通信する。ＣＤＭＡの加入者局は、ソフトなハンドオフ（soft handoff）中に多数の基地局と通信することができる。ソフトなハンドオフは、先の基地局とのリンクを切断する前に、新しい基地局とのリンクを設定するプロセスである。ソフトなハンドオフは呼をドロップする可能性を最小にする。ソフトなハンドオフのプロセス中に基地局を介して加入者局と通信するための方法およびシステムは、米合衆国特許第5,267,261号（“MOBILE ASSISTED SOFT HANDOFF IN A CDMA CELLULAR TELEPHONE SYSTEM”）に記載されており、これは本発明の譲受人に譲渡されており、ここでは参考文献として取り入れる。ソフトなハンドオフは、同じ基地局によってサービスされる多数のセクタ上で通信を行うプロセスである。ソフトなハンドオフのプロセスは、1996年12月11日に出願された米国特許出願第08/763/498号明細書（“METHOD AND APPARATUS FOR PERFORMING HANDOFF BETWEEN SECTORS OF A COMMON BASE STATION”）、1999年8月3日に出願されたKlein S.Gilheousen氏による現在の米国特許第 5,933,787号明細書に記載されており、これは本発明の譲受人に譲渡されており、ここでは参考文献として取り入れる。
【手続補正３】
【補正対象書類名】明細書
【補正対象項目名】０００８
【補正方法】変更
【補正の内容】
【０００８】
音声サービスとデータサービスとの間の重要な相違点は、音声サービスが厳密な一定の遅延要求を加えることである。一般的に、言語フレームの一方向の全遅延は１００ミリ秒未満でなければならない。対称的に、データの遅延はデータ通信システムの効率を最適化するのに使用される可変パラメータになる。とくに、音声サービスによって許容できる遅延よりも相当に大きい遅延を必要とするより効率的なエラー補正コード化技術を利用することができる。データのための例示的な効率的コード化方式は、1996年11月6日に出願された米国特許出願第08/743 688号明細書（“SOFT DECISION OUTPUT DECODER FOR DECODING CONVOLUTIONALLY ENCODED CODEWORDS”）、1999年8月3日に出願されたN.T.Sindhushayana氏他による現在の米国特許第5,933,462号明細書に記載されており、これは本発明の譲受人に譲渡されており、ここでは参考文献として取り入れる。
【手続補正４】
【補正対象書類名】明細書
【補正対象項目名】００１０
【補正方法】変更
【補正の内容】
【００１０】
ワイヤレスデータ通信システムは、一般的に、フォワードリンクとリバースリンクの両者において一定の範囲の伝送データレートを供給することができる。これらの伝送データレートは、ソースが典型的に選択されたデータアプリケーションに本質的に依存して異なる到来情報データレートを提供することを説明しなければならない媒体アクセス制御として識別される方式にしたがって、種々の活動状態のトラックソースへ割り当てられる。さらに加えて、伝送データレートを特定の加入者へ割り当てるときに、チャンネルの状態および全体的なシステムロードを検討すべきである。
【手続補正５】
【補正対象書類名】明細書
【補正対象項目名】００２８
【補正方法】変更
【補正の内容】
【００２８】
制御ブロック114では、加入者局は伝送バッファ内の情報のバイト数が最大伝送レートにおけるパケットの大きさよりも大きいか否かを判断する。例示的なニューメロロジィ（numerology）の場合に、最大レートは３０７．２キロビット／秒であり、対応する最大パケットの大きさは２０４８バイトである。伝送バッファ内の情報バイト数は、最大伝送レートにおけるパケットの大きさよりも大きいとき、ブロック116において、変数ＲｂｕｆｆｅｒはＲｍａｘに等しく設定される。伝送バッファ内の情報のバイト数が最大伝送レートにおけるパケットの大きさほど大きくないときは、ブロック118において、変数Ｒｂｕｆｆｅｒは伝送バッファ（Ｑｌｅｎｇｔｈ）の全内容を単一のパケットで送ることができる最低の使用可能レートに設定される。
【手続補正６】
【補正対象書類名】明細書
【補正対象項目名】００３０
【補正方法】変更
【補正の内容】
【００３０】
例示的な実施形態では、加入者局のバッファは２つの部分に分割される。第１の部分は新しい伝送データを含み、第２の部分は無線リンクプロトコル（Radio Link Protocol）データを含み、これは既に伝送されているが、再び伝送される可能性のあるパケットである。好ましい実施形態では、フラグＦｂｕｆｆｅｒは、加入者局の新しいデータバッファがほぼ一杯であるときに設定される。ほぼ一杯のバッファフラグの設定に応答して、加入者局の調整はレート選択アルゴリズムである。第１の例示的な実施形態では、加入者局はレート選択アルゴリズムを調整し、増加する伝送レートの１つにまでその伝送レートにバイアスをかけ、これについては別途詳しく記載する。代わりの実施形態では、加入者局は所定のより高いレートで伝送する。当業者は一杯のバッファのフラグ設定に対する応答を変更して、本発明の技術的範囲内の種々の方法の全てにおいて伝送レートを増加できることが分かるであろう。公平性をもたせるために、Ｆｂｕｆｆｅｒフラグは最後の１００パケットからのＮｂｕｆｆｅｒ（例えば２５）倍よりも大きく設定してはならない。
【手続補正７】
【補正対象書類名】明細書
【補正対象項目名】００４７
【補正方法】変更
【補正の内容】
【００４７】
図５は、２ビットのビジートーンの値を判断するための例示的な方法を示している。ブロック138では、基地局はリバースリンクのローディングを推定する。リバースリンクのローディングを推定するには複数の方法があり、その全ては本発明に応用可能である。リバースリンクのローディングを推定するための例示的な実施形態は、米合衆国特許出願第09/204,616号明細書（“Method and Apparatus for Loading Estimation”）、2001年2月20日に出願されたRoberto Padovani氏による現在の米国特許第 6,192,249号明細書に詳しく記載されており、本発明の譲受人によって譲渡され、ここでは参考文献として取上げている。
【手続補正８】
【補正対象書類名】明細書
【補正対象項目名】００６６
【補正方法】変更
【補正の内容】
【００６６】
パイロットデータは全てゼロ（または全て１）のシーケンスを含み、これは乗算器356へ供給される。乗算器356はWalshコードＷ０でパイロットデータをカバーする。WalshコードＷ０は全てゼロのシーケンスであるので、乗算器356の出力はパイロットデータである。パイロットデータはＭＵＸ362によって時分割多重化され、ＩのWalshチャンネルに供給され、複素乗算器（complex multiplier）366内において短いＰＮＩコードによって拡散される（図９参照）。例示的な実施形態では、パイロットデータは長いＰＮコードで拡散されず、ＭＵＸ376によるパイロットバースト中にゲートオフされて、全ての加入者局206によって受信できるようになる。したがってパイロット信号は変調されていないＢＰＳＫ信号である。
【手続補正９】
【補正対象書類名】明細書
【補正対象項目名】００６７
【補正方法】変更
【補正の内容】
【００６７】
図９には、データを変調するのに使用される例示的な変調器のブロックダイヤグラムが示されている。ＩのWalshチャンネルおよびＱのWalshチャンネルは、それぞれ加算器364ａおよび364ｂに供給され、ここでＫのWalshチャンネルを加算して、それぞれＩｓｕｍおよびＱｓｕｍを供給する。ＩｓｕｍおよびＱｓｕｍの信号は複素乗算器366へ供給される。複素乗算器366はさらに乗算器378ａおよび378ｂからPN IおよびPN Q信号を受信し、次の式にしたがって２つの複素入力を乗算する：
【数１】
2003510991.tif 000001
【手続補正１０】
【補正対象書類名】明細書
【補正対象項目名】００６９
【補正方法】変更
【補正の内容】
【００６９】
例示的な実施形態では、データパケットは長いＰＮコードと短いＰＮコードで拡散される。長いＰＮコードはパケットにスクランブルをかけ、その結果パケットが方向付けられている加入者局206のみがパケットを逆スクランブルすることができる。例示的な実施形態では、パイロットビット、電力制御ビット、および制御チャンネルパケットは長いＰＮコードではなく、短いＰＮコードで拡散されて、全ての加入者局206がこれらのビットを受信できるようにする。長いＰＮのシーケンスは長いコード発生器374によって生成され、乗算器（ＭＵＸ）376へ供給される。長いＰＮマスクは長いＰＮのシーケンスのオフセットを判断し、宛先の加入者局206へユニークに割り当てられる。ＭＵＸ376からの出力は、データ部分の伝送中の長いＰＮシーケンスか、さもなければ（例えば、パイロットおよび電力制御部分中の）ゼロである。ＭＵＸ376からのゲートされた長いＰＮのシーケンスおよび短いコード発生器380からの短いＰＮＩおよびＰＮＱのシーケンスは、それぞれ乗算器378ａおよび378ｂへ供給され、ここでは２組のシーケンスを乗算して、それぞれPN IPN Q信号を形成する。PN IおよびPN Q信号は複素乗算器366へ供給される。
【手続補正１１】
【補正対象書類名】明細書
【補正対象項目名】００７０
【補正方法】変更
【補正の内容】
【００７０】
図８および９に示した例示的なトラヒックチャンネルのブロックダイヤグラムは、フォワードリンク上でのデータのコード化および変調をサポートする多数のアーキテクチャの1つである。他のアーキテクチャとして、例えばＩＳ−９５標準にしたがうＣＤＭＡシステムにおけるフォワードリンクトラヒックチャンネルのためのアーキテクチャも利用でき、これも本発明の技術的範囲内である。
IV.フォワードリンクフレーム構造
図１０には、本発明の例示的なフォワードリンクのフレーム構造のダイヤグラムが示されている。トラヒックチャンネルはフレームに分割され、例示的な実施形態では、フレームは、短いＰＮのシーケンスまたは２６．６７ミリ秒の長さに定められている。各フレームは全ての加入者局206へアドレス指定された制御チャンネル情報（制御チャンネルフレーム）、および特定の加入者局206へアドレス指定されるトラヒックデータ（トラヒックフレーム）を保持しているか、または空（アイドルフレーム）であってもよい。各フレームのコンテンツは、伝送している基地局102によって実行されるスケジューリングによって判断される。例示的な実施形態では、各フレームは１６の時間スロットから構成されていて、各時間スロットは１．６６７ミリ秒の継続期間をもっている。１．６６７ミリ秒の時間スロットは、加入者局206がフォワードリンク信号のＣ／Ｉ測定を実行するのに適している。１．６６７ミリ秒の時間スロットは、効率的なパケットデータ伝送のために十分な時間量も表わしている。